(57)【要約】【課題】本発明は、エレベーターのホールドアに各種情報を提供するためのモニターを設けるためのシステムを提供する。【解決手段】本発明のエレベータードアのモニターシステムは、エレベータードアの表面全体をカバーするようにドア表面に付着される装飾用ガラス板、エレベータードアＤの裏面に固定され、エレベータードアの後側に突出してモニターＭを収納する直六面体形状のモニターボックスＭＢ、前記モニターボックスＭＢ内に固定されるモニターＭ、前記ガラス板とモニターＭとの間に配置され、モニターＭを前面の衝撃から保護するためにモニター全体をカバーする大きさを有する強化ガラス板、前記強化ガラス板をエレベータードアＤの表面と同じ高さで支持し固定するための強化ガラス板固定手段、前記モニターＭから発生した熱をエレベータードアＤの外部に排出するための換気手段、および前記モニターＭに連結され、モニターの各種信号と電気供給を制御するためのコントロールボックスＣを含む。【選択図】図３
2015024922.tif 000002
【特許請求の範囲】
【請求項１】
エレベータードアの表面全体をカバーするようにドア表面に付着される装飾用ガラス板、
エレベータードアの裏面に固定され、エレベータードアの後側に突出してモニターを収納する直六面体形状のモニターボックス、
前記モニターボックス内に固定されるモニター、
前記ガラス板とモニターとの間に配置され、モニターを前面の衝撃から保護するためにモニター全体をカバーする大きさを有する強化ガラス板、
前記強化ガラス板をエレベータードアの表面と同じ高さで支持し固定するための強化ガラス板固定手段、
前記モニターから発生した熱をエレベータードアの外部に排出するための換気手段、および
前記モニターに連結され、モニターの各種信号と電気供給を制御するためのコントロールボックスを含み、
前記強化ガラス板固定手段は、前記モニターボックスの縁部に沿って設けられ、断面がＬ字型である強化ガラス板支持台、前記強化ガラス板支持台を貫通してモニターボックスに強化ガラス板支持台を締結する締結具、前記強化ガラス板支持台と強化ガラス板の縁部との間に配置される弾性材料からなる緩衝材を含み、設置が完了した状態でドアの前面と強化ガラス板支持台の前面と強化ガラス板の前面が一致することを特徴とするエレベータードアのモニターシステム。
【請求項２】
前記コントロールボックスは、ローカルコンピュータ、変圧器および第２換気手段を含むことを特徴とする、請求項１に記載のエレベータードアのモニターシステム。
【請求項３】
前記換気手段は、前記モニターボックスの下段に形成された空気流入口、およびモニターボックスの上段に形成された空気排出口を含むことを特徴とする、請求項１または２に記載のエレベータードアのモニターシステム。
【請求項４】
前記コントロールボックスは、階選択ボタンの下方に位置するか、エレベーター昇降ホールの内壁面に設けられることを特徴とする、請求項３に記載のエレベータードアのモニターシステム。
【発明の詳細な説明】
【技術分野】
【０００１】
本発明はエレベータードアのモニターシステムに関し、具体的にはエレベーターのホールドアに各種情報を提供するためのモニターを設けるためのシステムに関する。
【背景技術】
【０００２】
図１は、従来のエレベーターのケージまたはカーに設けられたカーモニターＣＭを作動させるための全体的な概略図である。従来のカーモニターＣＭはエレベーターケージの内部に設けられるため、常にエレベーターと共に上下に動くことが当然であり、このような上下運動を受け入れるためにカーモニターＣＭに電気と各種信号を供給するために連結された電線もエレベーターの動力供給のためのトラベリングケーブルＴＣに一体となっており、このようなトラベリングケーブルＴＣは遠く離れた制御室のサーバコンピュータに連結されることが一般的である。
【０００３】
このようにカーモニターＣＭの電源線とネットワーク線がエレベーターケージ用のトラベリングケーブルに共に結合されているため、色々な他の電線と共に縛られている。したがって、カーモニターＣＭに信号を供給する時に他の色々な電線の信号との信号干渉が起こり易く、このため、カーモニターＣＭが本来の機能を発揮できない場合が多いことは勿論、トラベリングケーブルＴＣに共に縛られているので設置および修理をすることが難しく、費用も多くかかる。
【０００４】
また、乗客がエレベーターに乗って移動する間にだけカーモニターＣＭを見ることができ、さらには目的とする階の番号だけを見る場合も多いため、カーモニターＣＭを通じた広告や情報伝達の効果が大きく衰える状態である。
【発明の概要】
【発明が解決しようとする課題】
【０００５】
本発明は従来のこのような問題点を考慮して導き出されたものであり、上下に移動しないエレベータードアにモニターを設けることにより、従来のトラベリングケーブルＴＣを利用することなく別途の連結線をエレベーターの昇降路に沿って固定するようにすることによって設置および修理費用が安くなることを目的とする。
【０００６】
また、本発明は、エレベータードアにモニターを設けることにより、エレベーター乗客がエレベーターの到着を待つ時間の間モニターを通じて各種の広告や情報を容易に取得できるようにすることは勿論、乗客でなくホールを通り過ぎる他の一般の人々も広告や情報を取得できるようにすることを目的とする。
【課題を解決するための手段】
【０００７】
このような本発明の目的を達成するために、本発明は、エレベータードアの表面全体をカバーするようにドア表面に付着される装飾用ガラス板１０、エレベータードアＤの裏面に固定され、エレベータードアの後側に突出してモニターＭを収納する直六面体形状のモニターボックスＭＢ、前記モニターボックスＭＢ内に固定されるモニターＭ、前記ガラス板１０とモニターＭとの間に配置され、モニターＭを前面の衝撃から保護するためにモニター全体をカバーする大きさを有する強化ガラス板２０、前記強化ガラス板２０をエレベータードアＤの表面と同じ高さで支持し固定するための強化ガラス板固定手段３０、前記モニターＭから発生した熱をエレベータードアＤの外部に排出するための換気手段４０、および前記モニターＭに連結され、モニターの各種信号と電気供給を制御するためのコントロールボックスＣを含むエレベータードアのモニターシステムを提供する。
【０００８】
本発明のモニターシステムにおいて、コントロールボックスＣは、ローカルコンピュータＣ１、変圧器Ｔおよび第２換気手段Ｃ２を含んでも良い。
【０００９】
また、強化ガラス板固定手段３０は、モニターボックスＭＢの縁部に沿って設けられ、断面がＬ字型である強化ガラス板支持台３２、強化ガラス板支持台３２を貫通してモニターボックスＭＢに強化ガラス板支持台３２を締結する締結具３４、強化ガラス板支持台３２と強化ガラス板２０の縁部との間に配置される弾性材料からなる緩衝材３６を含み、設置が完了した状態でドアＤの前面と強化ガラス板支持台３２の前面と強化ガラス板２０の前面が一致することが好ましい。
【００１０】
なお、換気手段４０は、前記モニターボックスＭＢの下段に形成された空気流入口４２、およびモニターボックスＭＢの上段に形成された空気排出口４４を含んでも良い。
【００１１】
また、コントロールボックスＣは、階選択ボタンＢの下方に位置するか、エレベーター昇降ホールの内壁面に設けられても良い。
【発明の効果】
【００１２】
このように構成された本発明のモニターシステムは、従来のトラベリングケーブルＴＣを利用することなく別途の連結線をエレベーターの昇降路に沿って固定することにより、設置および修理費用が安価であり、従来に比べて信号干渉を減らし、より鮮明な画質を提供することができる。
【００１３】
また、エレベーター乗客がエレベーターの到着を待つ時間の間モニターを通じて各種の広告や情報を容易に取得できるようにすることは勿論、乗客でなくホールを通り過ぎる他の一般の人々もモニターを見ることができる。
【００１４】
なお、従来のトラベリングケーブルに連結した時には、ローカルコンピュータを点検しようとすればエレベーターを止めてケージ上で行わなければならなかったが、本発明によればこのような点検を廊下で簡単に行うことができる。
【図面の簡単な説明】
【００１５】
【図１】従来のエレベーターのケージまたはカーに設けられたカーモニターＣＭを作動させるための全体的な概略図である。
【図２】本発明を実現したエレベーター昇降路とエレベータードアＤとドアの前に乗客が立っていることを示す概略図である。
【図３】本発明によるモニターＭが設けられたエレベータードアＤとモニターを制御するコントロールボックスＣを階選択ボタンＢの下方に設けた例を示す概略的な正面図である。
【図４】本発明によるモニターが設けられたエレベータードアの側断面図と部分詳細図である。
【図５】図４に対応する横断面図と部分詳細図である。
【図６】コントロールボックスＣを階選択ボタンＢの真下に設けた場合の断面図である。
【発明を実施するための形態】
【００１６】
図２は、本発明を実現したエレベーター昇降路とエレベータードアＤとドアの前に乗客が立っていることを示す概略図である。図示したように、本発明によれば、エレベーターのケージと関係なくエレベータードアＤに設けられたモニターＭを通じて乗客が情報を取得することができる。
【００１７】
図３は、本発明によるモニターＭが設けられたエレベータードアＤとモニターを制御するコントロールボックスＣをエレベーターホール廊下の階選択ボタンＢの下方に設けた例を示す概略的な正面図である。
【００１８】
図示したように、モニターＭとコントロールボックスＣは、ドア内部と廊下の壁内側の昇降路に配置された電線（破断線で表示）を介して連結される。コントロールボックスＣは図示されていない制御室と連結される。図３に示すように、コントロールボックスＣとモニターＭを連結する電線は、エレベータードアＤの左右開閉運動を受け入れる余裕をもって連結される。このようなコントロールボックスＣは、ローカルコンピュータＣ１、変圧器Ｔおよび換気手段Ｃ２を含む。
【００１９】
図４は、本発明によるモニターが設けられたエレベータードアの側断面図と部分詳細図である。
図示したように、エレベータードアＤの表面全体をカバーするようにドア表面に装飾用ガラス板１０が付着される。装飾用ガラス板１０はドアの美感を高め、ドア表面の損傷を防止するためのものである。エレベータードアＤの裏面に後述するモニターＭを設けるためのボックス型のモニターボックスＭＢを固定する。モニターボックスＭＢは、エレベータードアの後側に突出した直六面体の形状を有する。モニターボックスＭＢ内にモニターＭが固定される。
【００２０】
また、装飾用ガラス板１０とモニターＭとの間にモニターＭを前面の衝撃から保護するためにモニター全体をカバーする大きさを有する強化ガラス板２０を配置する。例えば、ガラス板１０の前から大きい衝撃が加えられればモニターＭが破損するので、それを防止するためにガラス板１０とモニターＭとの間に強化ガラス板２０を配置する。強化ガラス板２０はモニターＭの正面の全体をカバーする程度の大きさを有すれば良い。
【００２１】
このような強化ガラス板２０をエレベータードアＤの表面と同じ高さで支持し固定するために強化ガラス板固定手段３０を利用する。固定手段３０については図４と図５を参照して後述する。
【００２２】
一方、モニターＭは作動中に多くの熱が発生するのが一般的であり、このような熱は必ず外部へ排出されなければならない。このために、モニターＭから発生した熱をエレベータードアＤの外部に排出するための換気手段４０をモニターボックスに形成することが好ましい。このような換気手段４０はモニターボックスＭＢの下段に形成された空気流入口４２とモニターボックスＭＢの上段に形成された空気排出口４４とからなっており、高温の空気が自然対流現象によって上方の空気排出口４４へ排出され、新鮮な低温の空気が下方の空気流入口４２に流入されるようにすることが好ましい。しかし、必要であれば、通風機のような強制換気装置を設けることも本発明の範囲に属すると言える。
【００２３】
図５は図４に対応する横断面図と部分詳細図であり、図４〜５に強化ガラス板固定手段３０が詳しく図示されている。モニターボックスＭＢの縁部に沿って断面がＬ字型である強化ガラス板支持台３２を設ける。また、強化ガラス板支持台３２を貫通してモニターボックスＭＢに強化ガラス板支持台３２を締結具３４で締結する。締結具としてはボルト−ナットが最も多く用いられるが、ネジ釘などを用いることもできる。また、強化ガラス板支持台３２と強化ガラス板２０の縁部との間に弾性材料からなる緩衝材３６を配置して、強化ガラス板２０の角が衝撃によって破損することを防止する。このように支持台と締結具および緩衝材を含む強化ガラス板固定手段３０が完全に設けられた図４〜５のような状態においては、ドアＤの前面と強化ガラス板支持台３２の前面と強化ガラス板２０の前面が一致することが好ましい。すなわち、完全な平坦面をなしてこそ、装飾用ガラス板１０の外部から伝達される衝撃がある一ケ所に集中することなく均一に分散することができる。
【００２４】
図６はコントロールボックスＣを階選択ボタンＢの真下に設けた場合の断面図であり、コントロールボックスＣ内にはローカルコンピュータＣ１と変圧器Ｔが入っており、内部空気を換気させるための第２換気手段Ｃ２を含むことが好ましい。第２換気手段Ｃ２も前述したように下方の空気流入口と上方の空気排出口とからなることが好ましい。勿論、必要によっては通風機を設けて強制対流を図ることもできる。
【００２５】
このようなコントロールボックスＣは階選択ボタンＢの下方に位置することが好ましいが、必要によっては各階のエレベーター昇降ホールの内壁面に設けられることもできる。
【図１】
2015024922.tif 000003
【図２】
2015024922.tif 000004
【図３】
2015024922.tif 000005
【図４】
2015024922.tif 000006
【図５】
2015024922.tif 000007
【図６】
2015024922.tif 000008